(57)【要約】【課題】本発明はケース本体の鑑賞性を向上させるとともに、鑑賞品の設置作業の容易性またケース自体の剛性の高いディスプレイケースを提供する。【解決手段】ケース本体は鏡面の板で任意の角度を付けて形成されており鑑賞できる視野を広くし、また透明ケースを回転移動出来るようにし、鑑賞品の設置作業などのスペースを広く確保し、また回転移動により透明ケースの移動軌跡が予測しやすくなった。またケース本体に金属などを使用し剛性を保って、なおかつある程度の重量により安定性を保つことにした。【選択図】図１
2009028477.tif 000002
【特許請求の範囲】
【請求項１】
鑑賞品やコレクション等を収納し展示・鑑賞をするためのディスプレイケースであり、ケース本体は２面で構成され、鏡面になっている。その他４面を透明ケースで囲い、前記鑑賞品やコレクションを収容出来るようになっている。ケース本体２面の構造は、底面と背面にて構成され底面に対して折り曲または、接着や溶着・はめ込みによって任意の角度で保持されることにより前記鑑賞品やコレクションを今までになく容易に多角度から視認・鑑賞を行えることを特徴とするディスプレイケースである。
【請求項２】
鑑賞品やコレクション等を収納しディスプレイできるケースであって、前記ケース本体２面とその他４面を透明ケースで囲い、収納部を確保しこの収納部に前記鑑賞品やコレクション等を展示・鑑賞するディスプレイケースで前記ケース本体２面と透明ケース４面との接合は、前記ケース本体に突起を取付けまた、前記透明ケースに穴を明けて前記ケース本体の突起を、前記透明ケースの穴に差し込んで接合されている。また、前記ケース本体と前記透明ケースとの接合部がヒンジ構造になっているため、透明ケースまたはケース本体が回転移動して収納部を大きく開放できることを特徴とする請求項１記載のディスプレイケースである。
【請求項３】
鑑賞品やコレクション等を収納し、展示・鑑賞をするディスプレイケースであり、前記ケース本体には金属や木材・樹脂等の剛性のある材料を使用し、剛性のある構成を持ち、その他４面は透明ケースに囲われ、収納スペースを確保して前記鑑賞品やコレクション等を収容し、軽度な衝撃やほこりから守ることを特徴とする請求項１記載または請求項２記載のディスプレイケースである。
【請求項４】
本発明は前記請求項１でケース本体に任意の角度を付け鑑賞性を向上し前記請求項２で収納部を大きく開放するためにケース本体以外の４面を回転出来るようにしたことで、請求項３であげた軽度な衝撃に耐えることの出来る追加措置としてケース本体底面に下台座を接着や溶着により固定して安定性を保ったことを特徴とする請求項１または請求項２または請求項３記載のディスプレイケースである。
【請求項５】
前記請求項２にて透明ケースをヒンジにて回転移動の補助を行うためにつまみを透明ケース側面又は前面部の適正な場所に取付け回転移動を行うことを特徴とする請求項１または請求項２または請求項３または請求項４記載のディスプレイケースである。
【発明の詳細な説明】
【技術分野】
【０００１】  この発明は、鑑賞品やコレクション等を収納し棚等の上に配置して、展示、鑑賞、保管をするためのディスプレイケースに関する。
【背景技術】
【０００２】  この種のディスプレイケースは、一体的・固定的な函体形状であり、前記函体形状内部に鑑賞品やコレクション等を収納するようになっている。前記函体は底面、左側面、右側面、背面、前面、天井の６面体で形成されている。よって前記函体は、対象物を収納または移動する場合１面を残し５面をかぶせるようになっているか、１面が蓋や扉になっている。また６面体の内１面又は２面が鏡面になっているものもある。
【発明の開示】
【発明が解決しようとする課題】
【０００３】しかしながら、以上の技術によれば、次のような問題が指摘されていた。
《第１の問題点について》
第１に、上述のようなディスプレイケースにあっては、鑑賞の目的で底面のみまたは、底面や背面に鏡面を用いて鑑賞品やコレクションの展示品底面側と背面側を鏡面に映しこませて鑑賞できるようにはなっているが、鑑賞品やコレクションに対して直角に函体が形成されているため、見る角度が限定され、とても見づらくなっており、奥行きを出すためのせっかくの鏡面構造が有効に活用されていないものになっている。また従来のディスプレイケースはせっかく鏡面になっているのだが、前記鑑賞品やコレクションにさえぎられ背面側が見づらくなっているという問題が指摘されていた。【０００４】《第２の問題点について》
第２に上述のようなディスプレイケースにあっては、１面が蓋や扉になっており上述のようなディスプレイケースでは前記鑑賞品やコレクションを設置、移動することがとても難しい。また１面を残し５面が相互固定され、相互固定された５面体を上からかぶせることで設置、移動が容易な方法もあるが、この相互固定された５面を上からかぶせる方法では、前記鑑賞品やコレクションを設置、移動完了したあとに前記相互固定された５面を前記鑑賞品やコレクションに触れないように慎重にかぶせるようにしなければ、前記鑑賞品やコレクションのレイアウトを保てなかったり、前記鑑賞品やコレクションを破損したりしてしまう恐れがある。また前記ディスプレイケース１面が蓋形状のものは前記鑑賞品やコレクションを設置またはレイアウトの変更等を行う作業スペースが非常に狭くなっていて前記観賞品やコレクションを設置・移動を慎重に行わなければ前述のように前記鑑賞品やコレクションを破損したりレイアウトが乱れたりするという問題が指摘されていた。【０００５】《第３の問題点について》
第３に上述のようなディスプレイケースにあっては、函体自体が軽量で剛性に乏しく、安定性に欠け、ささいな衝撃でも前記函体自体が動いてしまったり、破損したりしていた。よって前記鑑賞品やコレクションのレイアウトも同時に動いてしまったり、破損したりするという問題が指摘されていた。【０００６】《第４の問題点について》
第４に上述のようなディスプレイケースにあっては、前記ディスプレイケースの内部より前記鑑賞品やコレクションを収納したり、取り出したり、ディスプレイケースの内部で配置されているレイアウトを変更したりするために前記ディスプレイケースの透明ケースを持ち上げなければならず、指紋等の汚れがつくという問題が指摘されていた。【０００７】《本発明について》
本発明によるディスプレイケースは、上記従来例の課題を解決すべく、鑑賞品やコレクションの鑑賞の容易さと、前記鑑賞品やコレクションを前記ディスプレイケース内に飾る作業の容易さや、前記鑑賞品やコレクションの保護を追及した。まず函体に適当な角度をつけ従来前記鑑賞品やコレクションを限定された角度のみでしか視認できなかったディスプレイケースを広範囲な角度より視認できるディスプレイケースにした。なお前記鑑賞品やコレクションの設置移動も容易にできるように透明ケースまたは、ケース本体を回転移動が行えるようにして設置、移動、レイアウト変更などの作業の容易性を確保したディスプレイケースにし、なお従来のディスプレイケースにはなく剛性を強くすることにより、軽度な衝撃に耐えうるようにし、なお前記ディスプレイケースを開閉する際に前記ディスプレイケースの汚れを防止することのできるディスプレイケースである。
【課題を解決するための手段】
【０００８】《請求項について》
以上の課題を解決するために、本発明の技術的手段は次のとおりである。まず、請求項１については、次のとおり。
請求項１のディスプレイケースは鑑賞品やコレクション等を収納し展示・鑑賞をするためのディスプレイケースであり、ケース本体は２面で構成され、鏡面になっている。その他４面を透明ケースで囲い前記鑑賞品やコレクションを収容出来るようになっている。ケース本体２面の構造は、底面と背面にて構成され底面に対して折り曲または、接着や溶着・はめ込みによって任意の角度で保持されることにより前記鑑賞品やコレクションを多角度から今までになく容易に視認・鑑賞を行えることを特徴とするディスプレイケースである。【０００９】請求項２については次のとおり。請求項２のディスプレイケースは鑑賞品やコレクション等を収納しディスプレイできるケースであって、前記ケース本体２面とその他４面を透明ケースで囲い、収納部を確保しこの収納部に前記鑑賞品やコレクション等を展示・鑑賞するディスプレイケースであって前記ケース本体２面と透明ケース４面との接合は、前記ケース本体に突起を取付けまた、前記透明ケースに穴を明けて前記ケース本体の突起を前記透明ケースの穴に差し込んで接合されている。また、前記ケース本体と透明ケースとの接合部がヒンジ構造になっているため、透明ケースまたはケース本体が回転移動して収納部を大きく開放できることを特徴とする請求項１記載のディスプレイケースである。【００１０】請求項３については次のとおり。請求項３のディスプレイケースは鑑賞品やコレクション等を収納し、展示・鑑賞をするディスプレイケースであり、前記ケース本体には金属や木材・樹脂等の剛性のある材料を使用し、剛性のある構成を持ち、その他４面は透明ケースに囲われ、収納スペースを確保して前記鑑賞品やコレクション等を収容し、軽度な衝撃やほこりから守ることを特徴とする請求項１記載または請求項２記載のディスプレイケースである。【００１１】請求項４については次のとおり。請求項４のディスプレイケースは前記請求項１でケース本体に任意の角度を付け鑑賞性を特質し前記請求項２で収納部を大きく開放出来るためにケース本体以外の４面を回転出来るようにしたことで、請求項３であげた軽度な衝撃に耐えることの出来る追加措置としてケース本体底面に下台座を接着や溶着により固定して安定性を保ったことを特徴とする請求項１または請求項２または請求項３記載のディスプレイケースである。【００１２】請求項５については次のとおり。請求項５のディスプレイケースは前記請求項２にて透明ケースをヒンジにて回転移動の補助を行うためにつまみを透明ケース側面又は前面部の適正な場所に取付け回転移動を行うことを特徴とする請求項１または請求項２または請求項３または請求項４記載のディスプレイケースである。
【発明の効果】
【００１３】  《第１の効果》
第１に鏡面部を最適な角度に調整されたケース本体に鑑賞品やコレクション等を、鏡面部に設置することにより、前記鑑賞品やコレクション等を展示・ディスプレイしたときに前記鑑賞品やコレクション等を視認出来る角度が大幅に向上され楽しむことができる。【００１４】  《第２の効果》
第２にディスプレイケースの透明ケースが回転移動することにより、前記ディスプレイケースは前記鑑賞品やコレクション等の設置スペースが大きく開放され、前記鑑賞品やコレクション等の設置・レイアウトの変更等の作業が飛躍的に容易になった。しかも前記ディスプレイケースの透明ケースが回転移動することにより移動軌跡が単純で予測しやすいため、前記ディスプレイケースの透明ケースが前記鑑賞品やコレクション等との接触することにより前記鑑賞品やコレクション等が破損したりレイアウトが乱れたりすることを大幅に軽減している。【００１５】  《第３の効果》
第３に、ケース本体は剛性を保持出来るような構造と材質であり、ある程度の重量も確保され、相互的に函体自体の強度が増して、軽度な衝撃にも耐えうる。【００１６】  《第４の効果》
第４にディスプレイケース自体の剛性と安定性をバランス良く保持している。【００１７】  《第５の効果》
第５に鑑賞品やコレクション等をディスプレイケース内で設置・移動することを容易にするため、ディスプレイケースの収納スペースを大きく開放できるようにヒンジを中心にディスプレイケースの透明ケースが回転移動できるようにする事を補助するため、つまみを持ってディスプレイケースの透明ケースを持ち上げ回転できる。しかも、前記ディスプレイケースの透明ケース自体に手が触れないのでディスプレイケースの透明ケースに指紋等の汚れがつかない。また、ディスプレイケースの透明ケースを閉める時に前記ディスプレイケースのケース本体と透明ケースとの間に指を挟むことのないように安全面にも配慮している。
【発明を実施するための最良の形態】
【００１８】  以下、本発明を実施するための最良の形態について、図面を使って詳細に説明する。
図１は、本発明に係わるディスプレイケースで収納スペースＤに収納物Ｅを設置したディスプレイケース本体Ａの斜視図である。収納物Ｅは鑑賞品やコレクション等に限らず指輪、ネックレス、サングラスその他の装飾品やアクセサリー、化粧品、コロンその他の化粧用品または文具、調味料その他生活雑貨の小物品も考えられる。【００１９】《ケース本体Ｂについて》
図２に示すように、ケース本体Ｂは背面１と底面２の平板状をなし、最適な任意の角度で折り曲げまたは接着や溶着・はめこみ・うちつけによって形成された物に側面補強板１３と背面補強板１４が折り曲げまたは接着や溶着にて形成されている。また、背面１と底面２とはステンレス製の板を鏡面加工した物が使用されているが、スチール製の物に鏡板を接着等で取付けた物や、スチール製品にメッキ加工を施した物でも構わない。また、同じく樹脂製の鏡面加工を施した物、接着した物、木材、ガラス製等剛性の保てる材料であり鏡面加工を施してあれば構わない。また背面１や底面２は平板状だけでなく、凹凸をつけたり、湾曲させたりして視覚的に楽しくする工夫も考えられる。【００２０】《透明ケースＣについて》
図２に示すように透明ケースＣは、前面３、上面４、右側面５、左側面６の透明樹脂（透視できる範囲内であれば着色されていても良い）を使用した一体成型品である。また樹脂を使用しなくてもガラス等透視できる物であれば使用可能である。なお、透明ケースＣは４面体が代表であるが曲面状にしたもの図８−（ａ）や球体状にしたもの図８−（ｂ）にしても採用可能である。前記透明ケースＣを曲面状にしたものまたは、球体状にしたものの場合、ケース本体Ｂも透明ケースＣにあわせた形状を施すものとする。【００２１】《可動部・接合部について》
次に、図２に示すようにケース本体Ｂの側面補強板１３にヒンジ部突起固定穴９を明けヒンジ部突起８を取付ける。また、反対面にも同様の加工を施してある。また透明ケースＣにはヒンジ部突起８より少し大きな穴を右側面５、左側面６に図４−（ａ）の様にケース本体Ｂと透明ケースＣを合体した時に係合できる位置に接合部穴１０を加工してある（図２参照）。【００２２】  ここでケース本体Ｂと透明ケースＣの取付けを説明する。図３−（ｂ）に示すように透明ケースＣはケース本体Ｂより１ｍｍ程度大きくしてクリアランスを取って、かぶせる事のできる寸法になっている。透明ケースＣをケース本体Ｂにかぶせた後、前述ケース本体Ｂのヒンジ部突起固定穴９と透明ケースＣの接合部穴１０とを合わせて、ヒンジ部突起８をケース本体Ｂに固定する（図４−（ａ）参照）。ヒンジ部突起８はケース本体Ｂと透明ケースＣとのクリアランス寸法より長いため、ヒンジ部突起８（図４−（ｂ）参照）をケース本体Ｂに固定する事により透明ケースＣがケース本体Ｂに係合されることになる。これにより背面１と底面２の任意の角度がついたケース本体Ｂと前面３、上面４、右側面５、左側面６の４面で出来た透明ケースＣとが係合され収納スペースＤの空間が形成される（図４−（ａ）参照）。また、この収納スペースＤに収納物Ｅを設置する（図１、図２、図４参照）。【００２３】  次に可動について説明する。図４−（ｂ）でケース本体Ｂと透明ケースＣは、透明ケースＣの接合部穴１０がヒンジ部突起８より少し大きな穴になっているため、係合はするが、固定はされていない。これによってヒンジ部突起８を軸に回転移動ができる（図５参照）。図５に示すように回転移動によってオープンスペースＦが確保され収納物Ｅの設置、移動、レイアウトの変更が飛躍的に容易になっている。しかも、透明ケースＣの回転移動の軌跡が単純であるため透明ケースＣの動きが予測でき、収納物Ｅと透明ケースＣとが接触してレイアウトの乱れや収納物Ｅの破損等の問題が大幅に軽減されたすばらしいディスプレイケースである。また回転移動軸にダンパーを採用して、ケース本体Ｂと透明ケースＣをダンパーを通して固定させ回転移動させる時の動きを軽減させる事も可能である。【００２４】《台座７について》
図２において、台座７はケース本体Ｂの底面２の下に接着または溶着され、透明ケースＣを閉じた状態のストッパーの働きを持ち（図３−（ａ）、図４−（ａ）参照）なお、図５のように透明ケースＣを回転移動させた時の安定性を保つために取付けられている。【００２５】《つまみについて》
図２でつまみ１１は透明ケースＣの右側面５、左側面６の適当な位置につまみ取付け穴１２を明けてつまみ１１をネジにて取付け固定されている。この事により透明ケースＣを回転移動することが容易になるだけでなく、回転移動を行う時に透明ケースＣ自体に手を触れることがなく、指紋等の汚れをつけずに回転移動ができ、透明ケースＣの美観を損なうことが少なくなる上、透明ケースＣを閉める際に、不用意に透明ケースＣ下部と台座７との接触部１５（図５参照）を持って閉めて指を挟むことのないよう安全面にも配慮している。また、つまみ１１は適切な位置であれば前面３、上面４に配置されても構わない。【００２６】《収納物Ｅの見える角度について》
まず図７に示すように従来のディスプレイケースは鏡面を底面に対して垂直に設置されており鏡面に映りこんだ収納物Ｅ全体が見える従来品の有効角度Ｈは非常に狭い。また正面から鑑賞した際に収納物Ｅ自体が鏡面に映りこんだ収納物Ｅを視界からさえぎり見えなくなってしまうため折角の背面の鏡面が意味を成さなかった。本実施形態、図６ではケース本体Ｂの背面１を底面２に対して適正な角度をつけているため、収納物Ｅ全体が見える本発明品の有効角度Ｇが飛躍的に増し、また鏡面に映りこんだ収納物Ｅを収納物Ｅ自体が視界からさえぎることなく鑑賞可能になるすばらしいディスプレイケースである。【００２７】  その他、ケース本体Ｂと透明ケースＣは、ヒンジ部突起８で係合されているが、前記ヒンジ突起部８は取外し可能なので、ケース本体Ｃを分解することが可能である。この事により、洗浄などのメンテナンスの容易さが大幅に改善されている。なお、透明ケースＣもしくは、ケース本体Ｂのどちらかが破損しても破損した部品のみ取り替えることが可能なディスプレイケースである。また、請求項１のみを採用した従来タイプの形態や請求項２、請求項３を単独で従来タイプに使用した形態も、もちろん可能である。
【図面の簡単な説明】
【００２８】
【図１】本発明を実施するための最良の形態を組付け斜視図にて示す図である。
【図２】本発明を実施するための最良の形態を分解斜視図にて示す図である。
【図３】本発明を実施するための最良の形態を示す図であり、（ａ）図はディスプレイケース正面図（ｂ）図は（ａ）に示したＡ−Ａ断面拡大図である。
【図４】本発明を実施するための最良の形態を示す図であり、（ａ）はディスプレイケース右側面図（ｂ）図は図１のＢ−Ｂ断面ヒンジ部詳細拡大図である。
【図５】本発明を実施するための最良の形態を示す透明ケースを回転移動させた時のディスプレイケース右側面図である。
【図６】本発明を実施するための最良の形態を示す図であり、本ディスプレイケースの見え方を示す右側面図である。
【図７】従来技術を示す右側面図である。
【図８】本発明を実施するための最良の形態を示し応用した図であり、（ａ）は左側面、正面、右側面を曲面にした例の図（ｂ）は左側面、正面、右側面、上面を球状にした例の図である。
【符号の説明】
【００２９】  Ａ・ディスプレイケース本体  Ｂ・ケース本体  Ｃ・透明ケース  Ｄ・収納スペース
Ｅ・収納物  Ｆ・オープンスペース  Ｇ・本発明品の有効角度  Ｈ・従来品の有効角度
１・背面  ２・底面  ３・前面  ４・上面  ５・右側面  ６・左側面  ７・台座
８・ヒンジ部突起  ９・ヒンジ部突起固定穴  １０・接合部穴  １１・つまみ
１２・つまみ取付け穴  １３・側面補強板  １４・背面補強板
１５・透明ケースＣ下部と台座７との接触部
【図１】
2009028477.tif 000003
【図２】
2009028477.tif 000004
【図３】
2009028477.tif 000005
【図４】
2009028477.tif 000006
【図５】
2009028477.tif 000007
【図６】
2009028477.tif 000008
【図７】
2009028477.tif 000009
【図８】
2009028477.tif 000010